(57)【要約】      （修正有）【課題】一般的な靴の履き勝手と履き心地を維持すると共に、和服と調和することができる和装用履物を提供する。【解決手段】和装用履物１００は、履き口１１を介して足を内部に収容する本体１０と、本体１０の底面に装着された靴底２０と、本体１０の表面に配置された鼻緒３０とを備えている。鼻緒３０は、本体１０の表面において本体１０の左右端から先端部分中央に向かって略Ｖ字形状に形成された擬似的な鼻緒３０である。【選択図】図１
0003207402.tif 000002
【実用新案登録請求の範囲】
【請求項１】
履き口を介して足を内部に収容する本体と、前記本体の底面に装着された靴底と、前記本体の表面に配置された鼻緒とを備え、
前記鼻緒は、前記本体の表面において前記本体の左右端から先端部分中央に向かって略Ｖ字形状に形成された擬似的な鼻緒であることを特徴とする和装用履物。
【請求項２】
前記鼻緒の先端中央部に前記鼻緒と前記靴底とを連結するような形状を有する前緒をさらに備え、前記鼻緒の両方の後端は、前記本体と前記靴底との間に挟着されていることを特徴とする請求項１に記載の和装用履物。
【請求項３】
前記本体の側面に、開閉端が前記履き口に連続した開閉具が設けられていることを特徴とする請求項１又は２に記載の和装用履物。
【請求項４】
前記本体は、足袋形状に形成されていることを特徴とする請求項１から３のいずれか１項に記載の和装用履物。
【考案の詳細な説明】
【技術分野】
【０００１】
本考案は、草履や下駄のような鼻緒を有し、和服を着た時に履いてふさわしい和装用履物に関する。
【背景技術】
【０００２】
草履や下駄のような和装用履物は、使用者の足を載せる台座部と、この台座部に留められ、使用者の足の甲に当たって足を捕捉する鼻緒とから構成されている。一般的に、台座部（足座部）の上面は平坦面であるか又は後部側が漸次高くなるように形成されている。鼻緒はＶ字型に取り付けられており、Ｖ字型の交差する中央に存在する前緒を足の第１指（拇指）と第２指とで挟んで履くように構成されている。
【０００３】
例えば、特許文献１に記載の和装用草履は、コルク等製の草履芯台の上面に天部材を、同じく下面にクローム皮等製の本底部材をそれぞれ固定し、これら天部材、草履芯台、本底部材の踵個所の左右両側に天部材の上面から本底部材の下面に貫通する左右対の後緒挿込孔が穿設されている。これら左右の挿込孔に上方より鼻緒の左右各後緒を挿入して同左右各後緒から連設された左右芯縄の端末を、本底部材の下面に貫出させ且つ当該両貫出端部を相互に結び止めると共に、本底部材の踵個所の下面に、ゴム、合成樹脂材料等製のヒール部材を当該ヒール部材が結び止め部を被い隠す状態として釘止め等により固定している。
【先行技術文献】
【特許文献】
【０００４】
【特許文献１】実用新案登録第３０１９６５４号公報
【考案の概要】
【考案が解決しようとする課題】
【０００５】
しかしながら、従来の下駄や草履は、足に鼻緒のみで固定するため、履きなれない人が多く、また、活発な動作を行い難いという欠点があった。そのため、和服着用時、下駄や草履を履くのが苦手故に、運動靴やサンダル等の一般的な洋装靴を履いている人が多く存在するのが実状である。
【０００６】
このように、和服着用時に一般的な靴を履くことは、和服と調和せず、不格好で、場にふさわしくない。
【０００７】
従って、本考案は従来技術の上述した問題点を解消するものであり、本考案の目的は、一般的な靴の履き勝手と履き心地を維持すると共に、和服と調和することができる和装用履物を提供することにある。
【課題を解決するための手段】
【０００８】
本考案によれば、和装用履物は、履き口を介して足を内部に収容する本体と、本体の底面に装着された靴底と、本体の表面に配置された鼻緒とを備えている。鼻緒は、本体の表面において本体の左右端から先端部分中央に向かって略Ｖ字形状に形成された擬似的な鼻緒である。
【０００９】
使用者の足を内部に収容する本体と、本体の底面に装着された靴底とを有する履物の本体の表面に本体の左右から先端部分中央に向かって略Ｖ字形状に形成された擬似的な鼻緒とを備えることにより、一般的な靴の履き勝手と履き心地を維持すると共に、和服と調和することができる。なお、本明細書において、疑似的な鼻緒とは、鼻緒としての本来の機能を持たない装飾のみの鼻緒を意味している。
【００１０】
鼻緒の先端中央部に鼻緒と靴底とを連結するような形状を有する前緒をさらに備え、鼻緒の両方の後端は、本体と靴底との間に挟着されていることがより好ましい。このような構成を有することにより、より下駄や草履に近い外観を呈することができる。
【００１１】
本体の側面に、開閉端が履き口に連続した開閉具が設けられていることも好ましい。このような開閉具を設けることにより履き口の開口を広げることができ、足を本体内部に容易に挿入することができる。
【００１２】
本体は、足袋形状に形成されていることがより好ましい。
【考案の効果】
【００１３】
本考案の和装用履物によれば、一般的な靴の履き勝手と履き心地を維持すると共に、和服と調和することができるので、下駄や草履を履くのが苦手の人でも、和服着用時に和服と調和した履物を履くことで、和服とのバランスがとれて見栄えもよくなる。また、活発な動作を脱げることなく行うことができる。
【図面の簡単な説明】
【００１４】
【図１】本考案の第１の実施形態における和装用履物の構成を概略的に示す図である。
【図２】本考案の第２の実施形態における和装用履物の構成を概略的に示す図である。
【図３】本考案の第３の実施形態における和装用履物の構成を概略的に示す図である。
【図４】本考案の第４の実施形態における和装用履物の構成を概略的に示す図である。
【図５】本考案の第５の実施形態における和装用履物の構成を概略的に示す図である。
【図６】本考案の第６の実施形態における和装用履物の構成を概略的に示す図である。
【図７】本考案の第７の実施形態における和装用履物の構成を概略的に示す図である。
【図８】本考案の和装用履物の変形例を概略的に示す図である。
【図９】本考案の和装用履物の他の変形例を概略的に示す図である。
【考案を実施するための形態】
【００１５】
以下、本考案に係る和装用履物の実施形態を、図面を参照して説明する。
【００１６】
図１は本考案の第１の実施形態における和装用履物１００の構成を示しており、同図（ａ）は和装用履物１００を正面上方から見た図であり、（ｂ）は和装用履物１００を上方から見た図であり、（ｃ）は和装用履物１００を側面上方から見た図である。
【００１７】
図１に示すように、本実施形態における和装用履物１００は、足を内部に収容する本体１０と、靴底（ソール）２０と、鼻緒３０とを備えている。
【００１８】
本体１０は、内部に足を収容するためのものであり、足を挿通させるための履き口１１と、開閉端がこの履き口１１に連続するように本体１０の側面に設けられた開閉具１２とを備えている。開閉具１２は本実施形態ではファスナーであり、この開閉具１２を操作する（ファスナーを下方に引く）ことにより、履き口１１の開口面積が広がり、履き脱ぎが容易となる。
【００１９】
靴底２０は、例えば、コルク、合成樹脂や天然ゴム等の材料から形成された芯台であるが、本考案はこの構成に限定されるものではない。例えば、コルク、合成樹脂や天然ゴム等の材料から形成された芯台の外面を布、皮等の材料で覆うように構成しても良い。
【００２０】
鼻緒３０は、例えば紐状体で、本体１０の前部表面において本体１０の左右端から先端部分中央に向かって略Ｖ字形状に形成された擬似的な鼻緒である。鼻緒３０の両方の後端は、本体１０と靴底２０との間に挟まれて固着されている。鼻緒３０の先端部に鼻緒３０と靴底２０とを連結するような形状を有する前緒３１が設けられている。
【００２１】
図２は本考案の第２の実施形態における和装用履物２００の構成を示しており、同図（ａ）は和装用履物２００を正面上方から見た図であり、（ｂ）は和装用履物２００を上方から見た図であり、（ｃ）は和装用履物２００を側面上方から見た図である。
【００２２】
図２に示すように、本実施形態における和装用履物２００は、足を内部に収容する本体１０Ａと、靴底（ソール）２０と、鼻緒３０Ａとを備えている。本実施形態の和装用履物２００において、本体１０Ａ及び鼻緒３０Ａを除くその他の構成は、基本的に第１の実施形態の和装用履物１００と同様な構成を有するため、詳細な説明を省略する。
【００２３】
本体１０Ａは、本実施形態では、前部の親指挿入部とその他の指挿入部とが分離されている足袋形状に形成され、足を挿通させるための履き口１１と、開閉端がこの履き口１１に連続するように本体１０Ａの側面に設けられた開閉具１２とを備えている。開閉具１２は本実施形態ではファスナーであり、この開閉具１２を操作する（ファスナーを下方に引く）ことにより、履き口１１の開口面積が広がり、履き脱ぎが容易となる。
【００２４】
鼻緒３０Ａは、例えば紐状体で、本体１０Ａの前部表面において本体１０Ａの左右端から先端よりやや後方部分中央に向かって略Ｖ字形状に形成された擬似的な鼻緒である。鼻緒３０Ａの両方の後端は、本体１０Ａと靴底２０との間に挟まれて固着されている。鼻緒３０Ａの先端部に鼻緒３０Ａと靴底２０とを連結するような形状を有する前緒３１Ａが設けられている。この前緒３１Ａは、足袋形状の本体１０Ａの足指間を通して靴底２０に固着されており、これによって従来の草履により近似した外観となっている。
【００２５】
図３は本考案の第３の実施形態における和装用履物３００の構成を示しており、同図（ａ）は和装用履物３００を正面上方から見た図であり、（ｂ）は和装用履物３００を側面上方から見た図である。
【００２６】
図３に示すように、本実施形態における和装用履物３００は、足を内部に収容する本体１０Ｂと、靴底（ソール）２０と、鼻緒３０Ｂとを備えている。本実施形態の和装用履物３００において、本体１０Ｂ及び鼻緒３０Ｂを除くその他の構成は、基本的に第１の実施形態の和装用履物１００と同様な構成を有するため、詳細な説明を省略する。
【００２７】
本体１０Ｂは、足を挿通させるための履き口１１と、開閉端がこの履き口１１に連続するように本体１０Ｂの側面に設けられた開閉具１２とを備えている。開閉具１２は本実施形態ではファスナーであり、この開閉具１２を操作する（ファスナーを下方に引く）ことにより、履き口１１の開口面積が広がり、履き脱ぎが容易となる。
【００２８】
鼻緒３０Ｂは、例えば２本の帯状体で、本体１０Ｂの左右端から先端よりやや後方部分中央に向かって略Ｖ字形状に形成された擬似的な鼻緒である。鼻緒３０Ａの両方の後端は、本体１０Ｂと靴底２０との間に挟まれて固着されている。鼻緒３０Ｂの先端部に鼻緒３０Ｂと靴底２０とを連結するような形状を有する前緒３１Ｂが設けられている。この前緒３１Ｂは、２本の帯状体の合流部からなり、本体１０Ｂの先端部の上面から挿入するように本体１０Ｂに固着されており、これによって見た目で前緒３１Ｂを介して鼻緒３０Ｂと靴底２０とが連結されているような外観となっている。
【００２９】
図４は本考案の第４の実施形態における和装用履物４００の構成を示しており、この和装用履物４００を側面上方から見た図である。
【００３０】
図４に示すように、本実施形態における和装用履物４００は、足を内部に収容する本体１０Ｃと、靴底（ソール）２０と、鼻緒３０Ｃとを備えている。本実施形態の和装用履物４００において、本体１０Ｃ及び鼻緒３０Ｃを除くその他の構成は、基本的に第１の実施形態の和装用履物１００と同様な構成を有するため、詳細な説明を省略する。
【００３１】
本体１０Ｃは、足を挿通させるための履き口１１を備えている。本実施形態においては、本体１０Ｃには開閉具が設けられておらず、例えば、履き口１１の周囲部を弾性材料で構成することで、履き脱ぎが容易となる。
【００３２】
鼻緒３０Ｃは、組み紐材料（例えば、三つ編み状の組み紐）を用い、本体１０Ｃの左右端から先端部分中央に向かって略Ｖ字形状に形成された擬似的な鼻緒である。鼻緒３０Ｃの両方の後端は、本体１０Ｃと靴底２０との間に挟まれて固着されている。鼻緒３０Ｃの先端部に鼻緒３０Ｃと靴底２０とを連結するような形状を有する前緒３１Ｃが設けられている。この前緒３１Ｃは、本体１０Ｃの先端部の上面の固定部に接着又は縫着して固着されており、これによって見た目で前緒３１Ｃを介して鼻緒３０Ｃと靴底２０とが連結されているような外観となっている。
【００３３】
図５は本考案の第５の実施形態における和装用履物５００の構成を示しており、この和装用履物５００を側面上方から見た図である。
【００３４】
図５に示すように、本実施形態における和装用履物５００は、足を内部に収容する本体１０Ｄと、靴底（ソール）２０と、鼻緒３０Ｄとを備えている。本実施形態の和装用履物５００において、本体１０Ｄ及び鼻緒３０Ｄを除くその他の構成は、基本的に第１の実施形態の和装用履物１００と同様な構成を有するため、詳細な説明を省略する。
【００３５】
本体１０Ｄは、足を挿通させるための履き口１１を備えている。本実施形態においては、本体１０Ｄには開閉具が設けられておらず、この場合、例えば、履き口１１周囲部を弾性材料で構成することで、履き脱ぎが容易となる
【００３６】
鼻緒３０Ｄは、略円形断面を有する紐状体であり、本体１０Ｄの左右端から先端部分中央に向かって略Ｖ字形状に形成された擬似的な鼻緒である。鼻緒３０Ｄの両方の後端は、本体１０Ｄと靴底２０との間に挟まれて固着されている。鼻緒３０Ｄの先端部に鼻緒３０Ｄと靴底２０とを連結するような形状を有する前緒３１Ｄが設けられている。この前緒３１Ｄは、本体１０Ｄの先端部の上面の固定部に接着又は縫着して固着されており、これによって見た目で前緒３１Ｄを介して鼻緒３０Ｄと靴底２０とが連結されているような外観となっている。
【００３７】
図６は本考案の第６の実施形態における和装用履物６００の構成を示しており、この和装用履物６００を正面上方から見た図である。
【００３８】
図６に示すように、本実施形態における和装用履物６００は、足を内部に収容する本体１０Ｅと、靴底（ソール）２０と、鼻緒３０Ｅとを備えている。本実施形態の和装用履物６００において、本体１０Ｅ及び鼻緒３０Ｅを除くその他の構成は、基本的に第１の実施形態の和装用履物１００と同様な構成を有するため、詳細な説明を省略する。
【００３９】
本体１０Ｅは、足を挿通させるための履き口１１と、開閉端がこの履き口１１に連続するように本体１０Ｅの側面に設けられた開閉具１２とを備えている。開閉具１２は本実施形態ではファスナーであり、この開閉具１２を操作する（ファスナーを下方に引く）ことにより、履き口１１の開口面積が広がり、履き脱ぎが容易となる。
【００４０】
鼻緒３０Ｅは、例えば２本の紐状体を組み合わせて構成され、本体１０Ｅの左右端から先端よりやや後方部分中央に向かって略Ｖ字形状に形成された擬似的な鼻緒である。鼻緒３０Ｅの両方の後端は、本体１０Ｅと靴底２０との間に挟まれて固着されている。鼻緒３０Ｅの先端部に鼻緒３０Ｅと靴底２０とを連結するような形状を有する前緒３１Ｅが設けられている。この前緒３１Ｅは、本体１０Ｅの先端部の上面の固定部に接着又は縫着して固着されており、これによって見た目で前緒３１Ｅを介して鼻緒３０Ｅと靴底２０とが連結されているような外観となっている。
【００４１】
図７は本考案の第７の実施形態における和装用履物７００の構成を示しており、この和装用履物７００を正面上方から見た図である。
【００４２】
図７に示すように、本実施形態における和装用履物７００は、足を内部に収容する本体１０Ｆと、靴底（ソール）２０と、鼻緒３０Ｆとを備えている。本実施形態の和装用履物７００において、本体１０Ｆ及び鼻緒３０Ｆを除くその他の構成は、基本的に第１の実施形態の和装用履物１００と同様な構成を有するため、詳細な説明を省略する。
【００４３】
本体１０Ｆは、足を挿通させるための履き口１１と、開閉端がこの履き口１１に連続するように本体１０Ｆの側面に設けられた開閉具１２とを備えている。開閉具１２は本実施形態ではファスナーであり、この開閉具１２を操作する（ファスナーを下方に引く）ことにより、履き口１１の開口面積が広がり、履き脱ぎが容易となる。
【００４４】
鼻緒３０Ｆは、例えば帯状体から構成され、本体１０Ｆの左右端から先端よりやや後方部分中央に向かって略Ｖ字形状に形成された擬似的な鼻緒である。鼻緒３０Ｆの両方の後端は、本体１０Ｆと靴底２０との間に挟まれて固着されている。鼻緒３０Ｆの先端部に鼻緒３０Ｆと靴底２０とを連結するような形状を有する前緒３１Ｆが設けられている。この前緒３１Ｆは、本体１０Ｆの先端部の上面の固定部に接着又は縫着して固着されており、これによって見た目で前緒３１Ｆを介して鼻緒３０Ｆと靴底２０とが連結されているような外観となっている。
【００４５】
図８は本考案における和装用履物の開閉具の他の例を示しており、和装用履物を側面上方から見た図である。
【００４６】
図８（ａ）の例では、和装用履物１００Ａの開閉具１２Ａは、開閉端が履き口１１に連続しており、閉じられたときにファスナーが開口の内部に隠されて外側から見えなくなるコンシールファスナーで構成されている。図８（ｂ）の例では、和装用履物１００Ｂの開閉具１２Ｂは、開閉端が履き口１１に連続しており、互いに重なる一方の面がループ面１３ａ、他方の面がフック面１３ｂである面ファスナーで構成されている。図８（ｃ）の例では、和装用履物１００Ｃの開閉具１２Ｃは、開閉端が履き口１１に連続しており、互いに重なる一方の面に複数のこはぜ（爪型の留め具）１３ｃが縫い付けられ、他方の面に複数の掛け糸（受け糸）１３ｄが設けられている。和装足袋と同様に、閉じる際は、複数のこはぜ１３ｃがそれぞれ対応する掛け糸１３ｄに引っ掛けて固定される。
【００４７】
以上説明したように、上述した実施形態の和装用履物１００（１００Ａ、１００Ｂ、１００Ｃ、２００、３００、４００、５００、６００及び７００）は、履き口を介して足を内部に収容する本体１０（１０Ａ、１０Ｂ、１０Ｃ、１０Ｄ、１０Ｅ及び１０Ｆと、本体の底面に装着された靴底２０と、鼻緒３０、３０Ａ、３０Ｂ、３０Ｃ、３０Ｄ、３０Ｅ及び３０Ｆとを備えている。鼻緒は、本体の表面において、本体の左右端から先端部分中央に向かって略Ｖ字形状に形成された擬似的な鼻緒である。
【００４８】
これにより、履物として一般的な靴の履き勝手と履き心地を維持すると共に、和服と調和することができる。そのため、下駄や草履を履くのが苦手の人でも、和服着用時に和服と調和した履物を履くことで、和服とのバランスがとれて見栄えもよくなる。また、活発な動作を脱げることなく行うことができる。
【００４９】
鼻緒３０、３０Ａ、３０Ｂ、３０Ｃ、３０Ｄ、３０Ｅ及び３０Ｆの先端中央部に鼻緒と靴底２０とを連結するような形状を有する前緒３１、３１Ａ、３１Ｂ、３１Ｃ、３１Ｄ、３１Ｅ及び３１Ｆを備え、鼻緒の両方の後端は、本体と靴底２０との間に挟着されていることで、下駄や草履のような外観を有することができる。
【００５０】
本体１０、１０Ａ、１０Ｂ、１０Ｃ、１０Ｄ、１０Ｅ及び１０Ｆの側面に開閉端が履き口１１に連続した開閉具１２、１２Ａ、１２Ｂ及び１２Ｃが設けられていることにより、履き口１１の開口を広げることができ、足を本体内部に容易に挿入することができる。
【００５１】
なお、上述した実施形態の和装用履物１００（１００Ａ、１００Ｂ、１００Ｃ）、２００、３００、４００、５００、６００及び７００において、本体１０（１０Ａ、１０Ｂ、１０Ｃ、１０Ｄ、１０Ｅ及び１０Ｆは、ショットブーツ形状の例を説明したが、本考案はこれに限定されるものではない。他の形状にも本考案を適用することができる。
【００５２】
また、上述した実施形態の和装用履物１００（１００Ａ、１００Ｂ、１００Ｃ）、２００、３００、４００、５００、６００及び７００において、鼻緒３０、３０Ａ、３０Ｂ、３０Ｃ、３０Ｄ、３０Ｅ及び３０Ｆには、図形模様又は装飾部材を設けても良い。例えば、図９に示すように、和装用履物１００Ｄの鼻緒３０に装飾部材Ｋを取り付けても良い。また、靴底２０の側面に図形模様又は装飾部材を設けても良い。
【００５３】
また、上述した実施形態の和装用履物１００（１００Ａ、１００Ｂ、１００Ｃ）、２００、３００、４００、５００、６００及び７００において、鼻緒３０、３０Ａ、３０Ｂ、３０Ｃ、３０Ｄ、３０Ｅ及び３０Ｆは、前緒３１、３１Ａ、３１Ｂ、３１Ｃ、３１Ｄ、３１Ｅ及び３１Ｆを有する構成としたが、本考案はこれに限定されるものではない。例えば、前緒を設けずに、略Ｖ字形の鼻緒のみを有するようにしても良い。
【００５４】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００５５】
１０、１０Ａ、１０Ｂ、１０Ｃ、１０Ｄ、１０Ｅ、１０Ｆ  本体
１１  履き口
１２、１２Ａ、１２Ｂ、１２Ｃ  開口具
１３ａ  ループ面
１３ｂ  フック面
１３ｃ  こはぜ
１３ｄ  掛け糸
２０  靴底
３０、３０Ａ、３０Ｂ、３０Ｃ、３０Ｄ、３０Ｅ、３０Ｆ  鼻緒
３１、３１Ａ、３１Ｂ、３１Ｃ、３１Ｄ、３１Ｅ、３１Ｆ  前緒
１００、１００Ａ、１００Ｂ、１００Ｃ、１００Ｄ、２００、３００、４００、５００、６００、７００  和装用履物
Ｋ  装飾部材
【図１】
0003207402.tif 000003
【図２】
0003207402.tif 000004
【図３】
0003207402.tif 000005
【図４】
0003207402.tif 000006
【図５】
0003207402.tif 000007
【図６】
0003207402.tif 000008
【図７】
0003207402.tif 000009
【図８】
0003207402.tif 000010
【図９】
0003207402.tif 000011